(57)【特許請求の範囲】
【請求項１】
被写体像を撮影するための撮像部と、
上記撮像部により撮影された画像を一時的に記憶するための一時用記憶媒体と、
上記撮像部により撮影された画像を保存用に記録するための保存用記録媒体と、
上記撮像部により撮影されている画像を表示する第１表示部と、
上記第１表示部に隣接して配置されており、上記保存用記録媒体に記録された画像を表示する第２表示部と、
上記第１表示部に付随して設けられており、該第１表示部への直接操作を入力するための第１操作入力部と、
上記第１操作入力部へ入力された操作の種類に応じて制御を行う制御部と、
を具備し、
上記制御部は、上記第１操作入力部へ第１の操作入力が行われたときには上記第１表示部に表示中の画像に係る上記撮像部からの画像データを上記一時用記憶媒体へ一時的に記憶させ、その後に該第１操作入力部へ上記第１表示部から上記第２表示部方向へ向かう第２の操作入力が行われたときには上記一時用記憶媒体に一時的に記憶されている画像データを上記保存用記録媒体へ記録させるように制御するものであることを特徴とするカメラ。
【請求項２】
上記制御部は、
上記第１操作入力部へ第１の操作入力が行われたときには、上記撮像部により撮影されている画像を上記第１表示部に表示させるのに代えて、上記一時用記憶媒体へ一時的に記憶させた画像を上記第１表示部に表示させるようにさらに制御するものであり、
その後に該第１操作入力部へ上記第１表示部から上記第２表示部方向へ向かう第２の操作入力が行われたときには、該第１表示部に表示されている画像を第２表示部に移動させる表示を行わせるようにさらに制御するものであることを特徴とする請求項１に記載のカメラ。
【請求項３】
画像を表示するための第１表示部と、この第１表示部に隣接して配置され画像を表示するための第２表示部と、上記第１表示部に付随して設けられており該第１表示部への直接操作を入力するための第１操作入力部と、を備えるカメラを制御するためのカメラの制御方法であって、
上記第１表示部に撮影中のモニタ画像を表示させ、
上記第１操作入力部へ第１操作入力が行われたときには、撮影された画像を一時的に記憶させ、
上記第１表示部に、上記モニタ画像に代えて、上記一時的に記憶させた画像を静止画像として表示させ、
その後に、上記第１操作入力部へ上記第１表示部から上記第２表示部方向へ向かう第２の操作入力が行われたときには、上記一時的に記憶させた画像を保存用に記録させる、
ことを特徴とするカメラの制御方法。
【請求項４】
画像を表示するための第１表示部と、この第１表示部に隣接して配置され画像を表示するための第２表示部と、上記第１表示部に付随して設けられており該第１表示部への直接操作を入力するための第１操作入力部と、を備えるカメラを制御するためのカメラの制御方法をコンピュータに実行させるためのプログラムであって、
コンピュータに、
上記第１表示部に撮影中のモニタ画像を表示させ、
上記第１操作入力部へ第１操作入力が行われたときには、撮影された画像を一時的に記憶させ、
上記第１表示部に、上記モニタ画像に代えて、上記一時的に記憶させた画像を静止画像として表示させ、
その後に、上記第１操作入力部へ上記第１表示部から上記第２表示部方向へ向かう第２の操作入力が行われたときには、上記一時的に記憶させた画像を保存用に記録させる、
カメラの制御方法を実行させるためのプログラム。
【請求項５】
画像を表示するための第１表示部と、この第１表示部に隣接して配置され画像を表示するための第２表示部と、上記第１表示部に付随して設けられており該第１表示部への直接操作を入力するための第１操作入力部と、を備えるカメラを制御するためのカメラの制御方法を実行させるためのプログラムを記憶する、コンピュータにより読み取り可能な記録媒体であって、
上記第１表示部に撮影中のモニタ画像を表示させ、
上記第１操作入力部へ第１操作入力が行われたときには、撮影された画像を一時的に記憶させ、
上記第１表示部に、上記モニタ画像に代えて、上記一時的に記憶させた画像を静止画像として表示させ、
その後に、上記第１操作入力部へ上記第１表示部から上記第２表示部方向へ向かう第２の操作入力が行われたときには、上記一時的に記憶させた画像を保存用に記録させる、
カメラの制御方法をコンピュータに実行させるためのプログラムを記憶する記録媒体。
【請求項６】
被写体像を撮影するための撮像部と、
第１表示部と、
上記第１表示部に隣接して配置された第２表示部と、
上記第２表示部に付随して設けられており、該第２表示部への直接操作を入力するための操作入力部と、
上記第１表示部への表示と、上記第２表示部への表示と、を制御するための表示制御部と、
を具備し、
上記表示制御部は、上記第１表示部に上記撮像部により撮影されている画像を表示させ、上記第２表示部にシャッタ操作を行うためのシャッタ操作領域を含む操作領域を示す図形を表示させると共に、上記操作入力部への入力に応じて該操作領域を示す図形を変更して表示させるように制御するものであることを特徴とするカメラ。
【請求項７】
上記表示制御部は、さらに、ズーム操作を行うためのズーム操作領域を上記操作領域に設定して、該操作領域を示す図形を表示させるとともに、ズーム操作が行われてズーム比が変更された場合には、該変更されたズーム比に応じて、上記シャッタ操作領域の大きさを変更して表示させるように制御するものであることを特徴とする請求項６に記載のカメラ。
【請求項８】
上記表示制御部は、さらに、フォーカス操作を行うためのフォーカス操作領域を上記操作領域に設定して、該操作領域を示す図形を表示させるように制御するものであることを特徴とする請求項６に記載のカメラ。
【請求項９】
上記表示制御部は、上記フォーカス操作領域を示す図形を、上記シャッタ操作領域を示す図形と兼用させるように制御するものであることを特徴とする請求項８に記載のカメラ。
【請求項１０】
標準姿勢において縦長をなすように構成されたカメラ本体部をさらに具備し、
上記第１表示部は、上記標準姿勢における上記カメラ本体部の背面上部に設けられたものであり、上記第２表示部は、該標準姿勢における該カメラ本体部の背面下部に設けられたものであることを特徴とする請求項６に記載のカメラ。
【発明の詳細な説明】
【技術分野】
【０００１】
本発明は、複数の表示部を備えるカメラと、このカメラの制御方法、プログラム、記録媒体に関する。
【背景技術】
【０００２】
画面に指やペン等で直接触れて入力を行ういわゆるタッチパネルは、種々の分野で入力手段として広く利用されている。
【０００３】
デジタルカメラ（以下、カメラと省略する。）においても、ＬＣＤ等の画像表示部がほとんどの機種に搭載されているために、この画像表示部にタッチパネルを搭載するようにしたカメラに関する提案も少なくない。すなわち、従来より多くのカメラでは、ＸＹ方向操作ボタン（着目部分をＸ方向とＹ方向とに移動させるための操作ボタン、具体的には十字キーや矢印キーなど）等の押圧ボタンを入力部として、カメラ背面に設けられた画面上で各種の入力や設定操作を行うようになっている。これに対して、カメラにタッチパネルを設ければ、画面に対して直接的に入力することができるようになるために、より操作が直感的で簡単になると考えられるためである。
【０００４】
一例として、特開２００２−３５４３１１号公報には、タッチパネルを配置した画面上で押下した任意の位置の周囲に操作アイコンを設定表示させるようにして、各自の操作し易い位置に操作アイコンを配置することができるようにしたカメラが提案されている。
【０００５】
また、特開２００３−２２４７４２号公報には、タッチパネル表示部にズーム枠を表示させて、画面上で適当な大きさの枠をタッチにより選択させ、ズーム倍率を設定するようにしたカメラが提案されている。
【０００６】
さらに、特開２００２−９４６２９号公報には、２つのタッチパネル付き表示部を備える携帯端末装置が記載されており、一方の表示部は記録用画面を、他方の表示部は再生用画面を、それぞれ表示するようになっている。
【特許文献１】特開２００２−３５４３１１号公報
【特許文献２】特開２００３−２２４７４２号公報
【特許文献３】特開２００２−９４６２９号公報
【発明の開示】
【発明が解決しようとする課題】
【０００７】
上述したような各公報には、タッチパネルを用いたカメラの操作制御に関する各種の提案がなされている。タッチパネルを用いた表示部は、画像を表示することができるとともに、アイコンの位置や大きさを任意に設定することができるために、カメラの操作部としての適性を備えている。そして、上述した提案以外の、タッチパネルの優位性をさらに有効に活用することができる操作性を備えたカメラが要望されている。
【０００８】
本発明は上記事情に鑑みてなされたものであり、優れた操作性を発揮させ得るカメラ、カメラの制御方法、プログラム、記録媒体を提供することを目的としている。
【課題を解決するための手段】
【０００９】
上記の目的を達成するために、第１の発明によるカメラは、被写体像を撮影するための撮像部と、上記撮像部により撮影された画像を一時的に記憶するための一時用記憶媒体と、上記撮像部により撮影された画像を保存用に記録するための保存用記録媒体と、上記撮像部により撮影されている画像を表示する第１表示部と、上記第１表示部に隣接して配置されており上記保存用記録媒体に記録された画像を表示する第２表示部と、上記第１表示部に付随して設けられており該第１表示部への直接操作を入力するための第１操作入力部と、上記第１操作入力部へ入力された操作の種類に応じて制御を行う制御部と、を具備し、上記制御部は、上記第１操作入力部へ第１の操作入力が行われたときには上記第１表示部に表示中の画像に係る上記撮像部からの画像データを上記一時用記憶媒体へ一時的に記憶させ、その後に該第１操作入力部へ上記第１表示部から上記第２表示部方向へ向かう第２の操作入力が行われたときには上記一時用記憶媒体に一時的に記憶されている画像データを上記保存用記録媒体へ記録させるように制御するものである。
【００１０】
また、第２の発明によるカメラは、上記第１の発明によるカメラにおいて、上記制御部が、上記第１操作入力部へ第１の操作入力が行われたときには、上記撮像部により撮影されている画像を上記第１表示部に表示させるのに代えて、上記一時用記憶媒体へ一時的に記憶させた画像を上記第１表示部に表示させるようにさらに制御するものであり、その後に該第１操作入力部へ上記第１表示部から上記第２表示部方向へ向かう第２の操作入力が行われたときには、該第１表示部に表示されている画像を第２表示部に移動させる表示を行わせるようにさらに制御するものである。
【００１１】
さらに、第３の発明によるカメラの制御方法は、画像を表示するための第１表示部と、この第１表示部に隣接して配置され画像を表示するための第２表示部と、上記第１表示部に付随して設けられており該第１表示部への直接操作を入力するための第１操作入力部と、を備えるカメラを制御するためのカメラの制御方法であって、上記第１表示部に撮影中のモニタ画像を表示させ、上記第１操作入力部へ第１操作入力が行われたときには撮影された画像を一時的に記憶させ、上記第１表示部に上記モニタ画像に代えて上記一時的に記憶させた画像を静止画像として表示させ、その後に上記第１操作入力部へ上記第１表示部から上記第２表示部方向へ向かう第２の操作入力が行われたときには上記一時的に記憶させた画像を保存用に記録させる方法である。
【００１２】
第４の発明によるプログラムは、画像を表示するための第１表示部と、この第１表示部に隣接して配置され画像を表示するための第２表示部と、上記第１表示部に付随して設けられており該第１表示部への直接操作を入力するための第１操作入力部と、を備えるカメラを制御するためのカメラの制御方法をコンピュータに実行させるためのプログラムであって、コンピュータに、上記第１表示部に撮影中のモニタ画像を表示させ、上記第１操作入力部へ第１操作入力が行われたときには撮影された画像を一時的に記憶させ、上記第１表示部に上記モニタ画像に代えて上記一時的に記憶させた画像を静止画像として表示させ、その後に上記第１操作入力部へ上記第１表示部から上記第２表示部方向へ向かう第２の操作入力が行われたときには、上記一時的に記憶させた画像を保存用に記録させるカメラの制御方法を実行させるためのプログラムである。
【００１３】
第５の発明による記録媒体は、画像を表示するための第１表示部と、この第１表示部に隣接して配置され画像を表示するための第２表示部と、上記第１表示部に付随して設けられており該第１表示部への直接操作を入力するための第１操作入力部と、を備えるカメラを制御するためのカメラの制御方法を実行させるためのプログラムを記憶する、コンピュータにより読み取り可能な記録媒体であって、上記第１表示部に撮影中のモニタ画像を表示させ、上記第１操作入力部へ第１操作入力が行われたときには撮影された画像を一時的に記憶させ、上記第１表示部に上記モニタ画像に代えて上記一時的に記憶させた画像を静止画像として表示させ、その後に上記第１操作入力部へ上記第１表示部から上記第２表示部方向へ向かう第２の操作入力が行われたときには上記一時的に記憶させた画像を保存用に記録させるカメラの制御方法をコンピュータに実行させるためのプログラムを記憶する記録媒体である。
【００１４】
第６の発明によるカメラは、被写体像を撮影するための撮像部と、第１表示部と、上記第１表示部に隣接して配置された第２表示部と、上記第２表示部に付随して設けられており該第２表示部への直接操作を入力するための操作入力部と、上記第１表示部への表示と上記第２表示部への表示とを制御するための表示制御部と、を具備し、上記表示制御部は、上記第１表示部に上記撮像部により撮影されている画像を表示させ、上記第２表示部にシャッタ操作を行うためのシャッタ操作領域を含む操作領域を示す図形を表示させると共に、上記操作入力部への入力に応じて該操作領域を示す図形を変更して表示させるように制御するものである。
【００１５】
第７の発明によるカメラは、上記第６の発明によるカメラにおいて、上記表示制御部が、さらに、ズーム操作を行うためのズーム操作領域を上記操作領域に設定して、該操作領域を示す図形を表示させるとともに、ズーム操作が行われてズーム比が変更された場合には、該変更されたズーム比に応じて、上記シャッタ操作領域の大きさを変更して表示させるように制御するものである。
【００１６】
第８の発明によるカメラは、上記第６の発明によるカメラにおいて、上記表示制御部が、さらに、フォーカス操作を行うためのフォーカス操作領域を上記操作領域に設定して、該操作領域を示す図形を表示させるように制御するものである。
【００１７】
第９の発明によるカメラは、上記第８の発明によるカメラにおいて、上記表示制御部が、上記フォーカス操作領域を示す図形を、上記シャッタ操作領域を示す図形と兼用させるように制御するものである。
【００１８】
第１０の発明によるカメラは、上記第６の発明によるカメラにおいて、標準姿勢において縦長をなすように構成されたカメラ本体部をさらに具備し、上記第１表示部は、上記標準姿勢における上記カメラ本体部の背面上部に設けられたものであり、上記第２表示部は、該標準姿勢における該カメラ本体部の背面下部に設けられたものである。
【発明の効果】
【００１９】
本発明のカメラ、カメラの制御方法、プログラム、記録媒体によれば、優れた操作性を発揮させることが可能となる。
【発明を実施するための最良の形態】
【００２０】
以下、図面を参照して本発明の実施の形態を説明する。
【００２１】
［実施形態１］
図１から図８は本発明の実施形態１を示したものであり、図１はカメラの外観を示す（Ａ）背面図（Ｂ）右側面図（Ｃ）正面図（Ｄ）平面図、図２はカメラの外観を示す斜視図である。
【００２２】
このカメラ１は、正面および背面をやや縦長の矩形をなす主面とし、比較的薄型の略直方体形状をなす筐体（カメラ本体部）（つまり、いわゆるカード形状の筐体）を備えている。このカメラ１は、例えば、片手の掌で把持し得るサイズ形状に形成されており、標準的な把持状態における標準的な姿勢（標準姿勢）では、主面が縦長となるようないわゆる縦位置をとるようになっている。
【００２３】
このカメラ１の背面には、図１（Ａ）に示すように、標準姿勢における重力方向の上側位置に矩形状の第１表示部１１が、この第１表示部１１の重力方向の下側位置に隣接して矩形状の第２表示部１２が、それぞれ配設されている。
【００２４】
また、カメラ１の正面には、図１（Ｃ）に示すように、光学的な被写体像を結像するためのレンズ１４が例えば右上に配設されている。
【００２５】
さらに、カメラ１の上面には、図１（Ｄ）に示すように、このカメラ１の電源をオン／オフするための電源ボタン１５と、このカメラ１における各種の操作状態を保持するための（つまり、意図しないボタン操作等を防止するための）ホールドボタン１６と、が配設されている。
【００２６】
さらに、カメラ１の右側面（正面から見た右側の側面）には、図１（Ｂ）に示すように、標準姿勢における重力方向の上側位置にメニューボタン１７が、下側位置にモードボタン１８が、それぞれ配設されている。これらの内のメニューボタン１７は、後述するように、シャッタ位置を変更するためのメニューやマニュアルフォーカスを行うためのメニューを表示するメニュー画面を表示するためのボタンである。また、モードボタン１８は、このカメラ１の動作モードを選択するためのボタンである。このモードボタン１８の操作により設定可能な動作モードとしては、例えば、撮影モード、再生モード等がある。
【００２７】
次に、図３はカメラ１の主として電気的な構成を示すブロック図である。
【００２８】
このカメラ１は、表示ユニット２５と、ＣＰＵ２６と、操作部２９と、ＲＯＭ３０と、一時用記憶媒体３１と、保存用記録媒体３２と、画像処理部３３と、撮像部３５と、を備えて構成されている。
【００２９】
ここに、表示ユニット２５は、上述した第１表示部１１および第２表示部１２と、第１表示制御部２１および第２表示制御部２２と、操作入力部２３と、操作検出部２４と、を有して構成されている。
【００３０】
また、撮像部３５は、上述したレンズ１４と、撮像素子３６と、撮像処理部３７と、を有して構成されている。
【００３１】
レンズ１４は、上述したように、被写体の光学像を撮像素子３６の撮像面に結像するための光学系であり、本実施形態においては、例えばズームレンズを含むズーム光学系として構成されている。
【００３２】
また、撮像素子３６は、レンズ１４により結像された光学的な被写体像を電気的な撮像信号に変換して出力するものである。
【００３３】
さらに、撮像処理部３７は、撮像素子３６を駆動するとともに、撮像素子３６から出力される撮像信号にアナログ的な信号処理等を施した後にデジタル信号に変換するものである。
【００３４】
また、第１表示部１１および第２表示部１２は、例えばＬＣＤ等で構成される表示デバイスである。
【００３５】
第１表示制御部２１は、ＣＰＵ２６の指令に基づき、第１表示部１１を制御して表示を行わせるものである。
【００３６】
同様に、第２表示制御部２２は、ＣＰＵ２６の指令に基づき、第２表示部１２を制御して表示を行わせるものである。
【００３７】
操作入力部２３は、第２表示部１２への直接操作を入力するための入力デバイスであり、具体的には例えばタッチパネルとして構成されたものとなっている。
【００３８】
操作検出部２４は、操作入力部２３からの出力に基づき第２表示部１２に対してどのような直接操作が行われたかを検出するためのものである。
【００３９】
操作部２９は、図１や図２に示したような電源ボタン１５、ホールドボタン１６、メニューボタン１７、モードボタン１８等を含むこのカメラ１に設けられた各種の操作ボタン等を含んでいる。
【００４０】
ＲＯＭ３０は、このカメラ１を制御するための処理プログラム（カメラの制御方法を実行させるためのプログラム）や各種の制御値等を記憶する不揮発性の記録媒体である。このＲＯＭ３０には、後述するシャッタ枠５３やシャッタアイコン５４、ズームアイコン５５（図４等参照）などの表示用の画像データも格納されている。
【００４１】
一時用記憶媒体３１は、ＣＰＵ２６の作業メモリとして用いられると共に、画像処理部３３により処理する画像データを記憶するための画像バッファとしても用いられる揮発性の記録媒体であり、例えばＲＡＭ等により構成されている。
【００４２】
保存用記録媒体３２は、例えばフラッシュメモリや小型ハードディスク等で構成される、多数の画像を記憶し得る不揮発性の記録媒体である。
【００４３】
画像処理部３３は、撮像処理部３７から出力され、一時用記憶媒体３１に一旦格納された画像データに、各種の画像処理や画像圧縮処理等を施すものである。こうして画像処理部３３により処理されたデータは、上述した保存用記録媒体３２に記録されるようになっている。また、画像処理部３３は、保存用記録媒体３２から読み出したデータを、伸張処理し、第１表示部１１や第２表示部１２で表示するに適した形式に変換する処理も行う。
【００４４】
ＣＰＵ２６は、ＲＯＭ３０に記憶されている処理プログラムや制御値に基づいて、このカメラ１を統括的に制御するための制御部である。このＣＰＵ２６は、操作検出部２４、操作部２９、ＲＯＭ３０と接続されると共に、第１表示制御部２１、第２表示制御部２２、一時用記憶媒体３１、保存用記録媒体３２、画像処理部３３、撮像処理部３７とバス等を介して接続されている。
【００４５】
次に、図４は、カメラ１におけるシャッタの大きさや位置を変更するときの様子を示す図である。
【００４６】
このカメラ１は、従来のカメラにおいて用いられているようなメカニカルなシャッタボタンは備えておらず、タッチパネル等として構成される操作入力部２３をシャッタボタンとして機能させるように構成されたものとなっている。さらに、このカメラ１においては、レンズ１４のズーム操作もタッチパネル等として構成される操作入力部２３を介して行うようになっている。
【００４７】
すなわち、撮影モードにおいては、図４（Ａ）に示すように、第１表示部１１にモニタ画像５１が表示されると共に、ターゲットマーク５２が表示されるようになっている。ここに、ターゲットマーク５２は、例えばオートフォーカス（ＡＦ）のポイントを示すものであり、この図４に示す例では、交点がスルーとなった略十文字形状のマークが用いられている。
【００４８】
また、撮影モードにおいては、図４（Ａ）に示すように、第２表示部１２にシャッタボタンとして機能するアイコンやズームボタンとして機能するアイコンが表示されるようになっている。ここに、シャッタボタンとして機能するアイコン（シャッタ操作領域を示す図形）は、シャッタ領域を示すシャッタ枠５３と、シャッタであることを視覚的に示すシャッタアイコン５４と、を含む。この図４に示す例においては、シャッタ枠５３は角が丸められた略正方形の枠として表示されている。また、シャッタアイコン５４は、上述したターゲットマーク５２と同一（あるいは相似）のマークとなっている。一方、ズームボタンとして機能するアイコン（ズーム操作領域を示す図形）は、ズームアイコン５５となっていて、略正方形状をなすシャッタ枠５３の右下角部に表示されている。このズームアイコン５５は、この図４に示す例においては、ズームアップおよびズームダウンをそれぞれ示す２つの三角形を組み合わせて構成されている。
【００４９】
なお、この図４（Ａ）に示す例においては、ズームアイコン５５をシャッタ枠５３の右下角部に配置しているが、ユーザが左利きである場合には左下角部に表示することができるようにしても良い。これに限らず、ユーザに応じた最も操作し易い位置に設定することができるようにすると良い。
【００５０】
次に、図４（Ｂ）は、シャッタ枠５３で示されるシャッタ領域を、カメラ１を把持する手の指（例えば親指）で押圧して、撮影を行ったときの様子を示している。このシャッタ領域が押圧された瞬間には、ターゲットマーク５２が通常よりも大きく表示され、シャッタ音等が発音されるようになっている。なお、ここではレリーズ操作に伴ってターゲットマーク５２を大きく表示するようにしているが、これに限らず、ターゲットマーク５２を光らせたり、色を異ならせて表示するようにしたりしても構わない。
【００５１】
また、このカメラ１は、シャッタ領域の大きさや位置を変更することができるように構成されている。
【００５２】
すなわち、メニューボタン１７を押下すると、図示しないメニュー画面が表示されて、このメニュー画面においてシャッタ領域の位置や大きさを指定することができるようになっている。ただし、シャッタ領域の中心位置を第２表示部１２の表示面の角部に指定した場合には、シャッタ領域の大きさを指定しなくても、その位置等に応じた表示可能な大きさに自動的に設定されるようになっている。すなわち、角部にシャッタ領域を設定すると、それ以前に設定されていた大きさのシャッタ領域をそのまま表示することが不可能になる場合があるために、このときには自動的に縮小表示されるようにしたものである。
【００５３】
図４（Ｃ）はこのような様子を示している。この図４（Ｃ）に示す例では、シャッタ領域を第２表示部１２の表示面の左下角部に設定している。これに応じて、シャッタ領域もやや小さくなっている。この図４（Ｃ）に示すような位置にシャッタ領域を設定した場合には、シャッタ領域を押圧しないときに親指を置く位置を確保することが可能となり、カメラ１を容易に保持することが可能となる利点がある。これに限らず、所望の位置にシャッタ領域を設定することにより、手の大きさや利き手が異なる様々なユーザに対応して、操作性が良好となる。
【００５４】
次に、図５は、カメラ１においてズームアイコン５５を操作するときの様子を示す図である。
【００５５】
図５（Ａ）に示すようにズームアイコン５５にタッチした状態で、図５（Ｂ）に示すように、指を右斜め下に摺動操作するとレンズ１４のズームアップが行われる。逆に、指を左斜め上に摺動操作するとレンズ１４のズームダウンが行われるようになっている。このズーム操作に伴って、モニタ画像５１もズームアップ表示またはズームダウン表示が行われる。また、ズームアップ操作を行った場合にはシャッタ領域を示すシャッタ枠５３が拡大表示され（図５（Ｂ））、逆にズームダウン操作を行った場合にはシャッタ枠５３が縮小表示されるようになっている。こうして、シャッタ枠５３の大きさを見ることにより、レンズ１４のズーム状態を把握することができるようになっている。
【００５６】
続いて、図６は、撮影モードにおける第２表示部の他の表示例を示す図である。
【００５７】
この図６に示す例のシャッタ枠５３Ａは、円形をなしており、レンズ１４の焦点位置を調整するためのフォーカスリングを兼ねる（すなわち、フォーカス操作領域を示す図形を兼ねる）ようになっている。このシャッタ枠５３Ａの時計回り方向の端部（ズームアイコン５５によりシャッタ枠５３Ａが途切れる部分における時計回り方向の端部）は無限位置５３ｃを示し、反時計回り方向の端部（ズームアイコン５５によりシャッタ枠５３Ａが途切れる部分における反時計回り方向の端部）は最至近位置５３ｄを示している。そして、シャッタ枠５３Ａ上には、現在のフォーカス位置を示す指標５３ｂが、このシャッタ枠５３Ａ上を移動操作可能に表示されている。その他、シャッタ枠５３Ａの、中央にシャッタアイコン５４が、右下角部にズームアイコン５５が、それぞれ表示されているのは上述と同様である。
【００５８】
このような構成において、指標５３ｂに触れながら、円形をなすシャッタ枠５３Ａ上をスライドして移動させることにより、所望の位置へのフォーカス操作を手動で行うことが可能となる。
【００５９】
次に、図７は、カメラ１の動作を示すフローチャートである。
【００６０】
この処理を開始すると、まず、電源ボタン１５がオンされているか否かを判定する（ステップＳ１）。
【００６１】
ここで、電源ボタン１５がオンされていると判定された場合には、次に、モードボタン１８の操作により、撮影モードに設定されているか否かを判定する（ステップＳ２）。
【００６２】
そして、撮影モードに設定されていないと判定された場合には、再生モード処理を行う（ステップＳ３）。この再生モード処理は、ステップＳ２において、撮影モードに設定されていると判定されるまで行われる。
【００６３】
一方、ステップＳ２において、撮影モードに設定されていると判定された場合には、例えば図４（Ａ）に示すように、第１表示部１１にモニタ画像５１を表示するとともに（ステップＳ４）、第２表示部１２にシャッタ枠５３等の操作領域表示を行う（ステップＳ５）。
【００６４】
その後、メニューボタン１７が操作されたか否かを判定する（ステップＳ６）。
【００６５】
ここで、メニューボタン１７が操作されたと判定された場合には、撮影操作に係るメニューを表示し（ステップＳ７）、シャッタ枠５３の位置を変更する指示が行われたか否かを判定する（ステップＳ８）。
【００６６】
ここで、シャッタ枠５３の位置を変更する指示が行われた場合には、その指示に応じてシャッタ枠５３を第２表示部１２内で移動させて表示する（ステップＳ９）。
【００６７】
このステップＳ９が終了するか、またはステップＳ８においてシャッタ枠５３の位置を変更する指示が行われていない場合には、マニュアルフォーカス指示が行われたか否かを判定する（ステップＳ１０）。
【００６８】
ここで、マニュアルフォーカス指示が行われた場合は、図４に示すような表示態様から、図６に示すような表示態様に移行し、手動によるフォーカス操作が可能なフォーカス表示を行う（ステップＳ１１）。
【００６９】
ステップＳ６においてメニューボタン１７が操作されていないと判定された場合、ステップＳ１０においてマニュアルフォーカス指示が行われていないと判定された場合、またはステップＳ１１の処理が終了した場合には、第２表示部１２の前面に設けられた操作入力部２３に触れる操作（タッチ操作）が行われたか否かを判定する（ステップＳ１２）。
【００７０】
ここで、タッチ操作が行われていないと判定された場合には、ステップＳ１へ戻って、上述したような処理を繰り返して行う。
【００７１】
一方、ステップＳ１２において、タッチ操作が行われたと判定された場合には、後で図８を参照して説明するようなタッチ操作処理を行う（ステップＳ１３）。
【００７２】
このタッチ操作処理が終了したら、ステップＳ１へ戻って電源ボタン１５の状態をチェックする。
【００７３】
こうして、ステップＳ１において、電源ボタン１５がオフになっていると判定された場合には、この処理を終了する。
【００７４】
次に、図８は、図７のステップＳ１３におけるタッチ操作処理を示すフローチャートである。
【００７５】
この処理を開始すると、ズームアイコン５５への操作、つまりズーム操作が行われたか否かを判定する（ステップＳ２１）。
【００７６】
ここでズーム操作が行われたと判定された場合には、レンズ１４に含まれるズームレンズを光軸方向に移動させて、操作量に応じたズーミングを行う（ステップＳ２２）。
【００７７】
そして、図５（Ａ）および図５（Ｂ）に示したように、ズーム操作で変更されたズーム比に合わせてシャッタ枠５３の拡大表示または縮小表示を行う（ステップＳ２３）。
【００７８】
このステップＳ２３が終了するか、またはステップＳ２１においてズーム操作が行われていないと判定された場合には、図６に示したような指標５３ｂによるフォーカス操作が行われたか否かを判定する（ステップＳ２４）。
【００７９】
ここで、フォーカス操作が行われたと判定された場合（このときには、当然にして、図７のステップＳ１０においてマニュアルフォーカス指示が行われていると判定されている。）には、レンズ１４に含まれるフォーカスレンズを光軸方向に移動させて、操作量に応じたフォーカシングを行う（ステップＳ２５）。
【００８０】
このステップＳ２５が終了するか、またはステップＳ２４においてフォーカス操作が行われていないと判定された場合には、シャッタ領域内に触れることによりシャッタ操作が行われたか否かを判定する（ステップＳ２６）。
【００８１】
ここで、シャッタ操作が行われていないと判定された場合には、ステップＳ２１へ戻って上述したような処理を繰り返して行う。
【００８２】
また、ステップＳ２６においてシャッタ操作が行われたと判定された場合には、撮像素子３６により撮像を行って画像処理等を行い保存用記録媒体３２に記録する撮影処理を行う（ステップＳ２７）。
【００８３】
こうして、ステップＳ２７の処理が終了したところで、このタッチ操作処理から図７に示したような処理に復帰する。
【００８４】
このような実施形態１によれば、カメラ１の操作部としての適性を有するタッチパネル等で構成される操作入力部２３を用いて、優れた操作性を発揮させることができる。
【００８５】
このとき、シャッタ領域を示すシャッタ枠５３の位置を変更することができるために、大きさや利き手が異なる様々なユーザに対応して、カメラ１の保持性を向上し、操作性を良好にすることができる。
【００８６】
そして、ズーム比に合わせてシャッタ枠５３の大きさが変化するように構成したために、ズームの動作状態を視覚的に容易に把握することが可能となる。
【００８７】
また、マニュアルフォーカスも、タッチパネル等で構成される操作入力部２３を用いて、必要に応じて行うことが可能となる。このとき、マニュアルフォーカスを行うための図形を、シャッタ領域を示す図形と兼用するようにしたために、表示するべき操作用の図形が少なくて済み、表示が煩雑になるのを防止することができる。
【００８８】
加えて、モニタ画像を、カメラ１を標準姿勢で把持したときの上側の位置に配置するようにしたために、モニタ画像がカメラ１を把持する指などで隠れるのを有効に予防することができる。
【００８９】
［実施形態２］
図９から図１２は本発明の実施形態２を示したものであり、図９はカメラ１の主として電気的な構成を示すブロック図である。
【００９０】
この実施形態２において、上述の実施形態１と同様である部分については同一の符号を付して説明を省略し、主として異なる点についてのみ説明する。
【００９１】
この実施形態２のカメラ１は、上述した実施形態１のカメラ１とほぼ同様に構成されているが、操作入力部および操作検出部を、第１表示部１１と第２表示部１２との両方に設けた点が異なっている。
【００９２】
すなわち、第１表示部１１の表示面上にはタッチパネル等で構成される第１操作入力部２３Ａが、第２表示部１２の表示面上にはタッチパネル等で構成される第２操作入力部２３Ｂが、それぞれ設けられている。
【００９３】
第１操作入力部２３Ａからの出力は第１操作検出部２４Ａに入力され、第１表示部１１に対してどのような直接操作が行われたかが検出されるようになっている。同様に、第２操作入力部２３Ｂからの出力は第２操作検出部２４Ｂに入力され、第２表示部１２に対してどのような直接操作が行われたかが検出されるようになっている。
【００９４】
そして、これら第１操作検出部２４Ａの出力と第２操作検出部２４Ｂの出力とは、ＣＰＵ２６に入力されるようになっている。また、ＣＰＵ２６は、画像管理部２６ａを有して構成されている。この画像管理部２６ａは、第１表示部１１から第２表示部１２へ移動された撮影画像６３（図１０（Ｃ）、図１０（Ｄ）参照）を、記録画像６２（図１０（Ａ）〜図１０（Ｅ）参照）とするように、画像管理を行うものである。
【００９５】
カメラ１におけるその他の構成は、図３に示したものとほぼ同様である。
【００９６】
次に、図１０は画像を撮影するときのカメラ１の様子を示す図である。
【００９７】
この実施形態のカメラ１においては、図１０（Ａ）に示すように、撮影モード時に、第１表示部１１にモニタ画像６１が表示される一方で、第２表示部には最近撮影された１枚以上の記録画像６２（保存用記録媒体３２に既に記録済みの画像）が新しい順に表示されるようになっている。これら記録画像６２の内の、最も見易い位置にある記録画像が、直前に撮影された記録画像６２ａである。
【００９８】
次に、使用者が第１表示部１１のモニタ画像６１を見て、今見ている画像を撮影したいと思った場合には、図１０（Ｂ）に示すように、第１表示部１１に（より正確には第１操作入力部２３Ａに）触れる（第１の操作）。なお、この図１０（Ｂ）には、カメラ１を保持する手の親指で第１表示部１１に触れている様子が示されている。
【００９９】
すると、触れたタイミングでシャッタ操作が行われ、第１表示部１１に表示されているモニタ画像６１がフリーズして撮影画像６３として表示されるとともに、一時用記憶媒体３１に記憶される。このように、触れたタイミングで撮影が行われるために、比較的手ブレを発生させ難い構成となっている。
【０１００】
次に、使用者は、第１表示部１１に表示されている撮影画像６３に触れたまま、図１０（Ｃ）に示すように、触れている位置を第２表示部１２へ移動させるように操作する（第２の操作）。すると、この移動操作に伴って、撮影画像６３が第２表示部１２へ移動するような表示が行われる。この移動途中には、撮影画像６３が、第１表示部１１と第２表示部１２とにまたがって表示されることになる。
【０１０１】
そして、触れている指などが、第１表示部１１から第２表示部１２まで移動し、所定の位置に至ると、図１０（Ｄ）に示すように、撮影画像６３が第２表示部１２にのみ表示される状態となる。このときには、第１表示部１１には、現在のモニタ画像６１が表示される。
【０１０２】
この図１０（Ｄ）に示すように、撮影画像６３が第２表示部１２にのみ表示される状態に至ったところで、所望の位置において指などを第２表示部１２から外す（つまり非接触の状態とする）と、撮影画像６３が、画像管理部２６ａにより記録する画像として確定され、一時用記憶媒体３１から読み出されて保存用記録媒体３２へ記録される。
【０１０３】
こうして記録画像が確定されると、図１０（Ｅ）に示すように、今回新たに撮影された画像が、第２表示部１２における記録画像６２ａとして表示される。
【０１０４】
なお、撮影画像６３に触れたまま、指などを第２表示部１２まで移動させたとしても、指などを離すことなく再び第１表示部１２まで戻せば、撮影画像６３が記録する画像として確定されることはない。このときには、第１表示部１２に再び表示される撮影画像６３を見ながら、記録画像とするか否かを再度考えることができる。そして、記録画像とする場合には再度上述したような操作を行えば良いし、記録画像とはしない場合には、所定の操作（例えば第１表示部１１をタップする操作など）を行うことにより、再び第１表示部１１にモニタ画像６１を表示させる状態に戻すことができる。また、再考の必要がない場合には、撮影画像６３が第１表示部１２に戻されたところで、直ちにモニタ画像６１の表示を再開するようにしても構わない。
【０１０５】
さらに、ここでは、指が第１表示部１１から第２表示部１２まで連続的に移動される場合を説明したが、撮影画像６３を記録画像にしようとする際に可能な操作法は、これに限るものではない。
【０１０６】
例えば、第１表示部１１において、使用者が撮影画像６３に触れながら指を第２表示部１２の方へ向けて素早く移動させたとする。このときに、ＣＰＵ２６は、第１操作検出部２４Ａを介して検出した移動速度や加速度等に基づいて、使用者が撮影画像６３を記録画像にしようとしているか否かを判定する。そして、記録画像にしようとしていると判定された場合には、指が第２表示部１２に至らなくても、画像管理部２６ａは、撮影画像６３を保存用記録媒体３２に記録させるように制御する。
【０１０７】
このような操作法を上述したような操作法に加えてさらに許容するように構成すれば、使用者の使い勝手をより高めることが可能となる。一方、この操作法のみにより撮影画像６３を記録画像とすることができるように構成する場合には、第２操作入力部２３Ｂや第２操作検出部２４Ｂを省略することが可能となり、構成を簡単にして、軽量化や低コスト化を図ることができる。
【０１０８】
次に、図１１は、カメラ１の動作を示すフローチャートである。
【０１０９】
この処理を開始すると、まず、電源ボタン１５がオンされているか否かを判定する（ステップＳ３１）。
【０１１０】
ここで、電源ボタン１５がオンされていると判定された場合には、次に、モードボタン１８の操作により、撮影モードに設定されているか否かを判定する（ステップＳ３２）。
【０１１１】
そして、撮影モードに設定されていないと判定された場合には、再生モード処理を行う（ステップＳ３３）。この再生モード処理は、ステップＳ３２において、撮影モードに設定されていると判定されるまで行われる。
【０１１２】
一方、ステップＳ３２において、撮影モードに設定されていると判定された場合には、例えば図１０（Ａ）に示すように、第２表示部１２に記録画像６２を表示するとともに（ステップＳ３４）、第１表示部１１にモニタ画像６１を表示する（ステップＳ３５）。
【０１１３】
その後、第１表示部１１に触れる第１の操作がなされたか否かを判定する（ステップＳ３６）。
【０１１４】
ここで、第１の操作がなされたと判定された場合には、モニタ画像の撮影を行い（ステップＳ３７）、一時用記憶媒体３１に撮影画像６３を記憶し（ステップＳ３８）、撮影画像６３を第１表示部１１に表示する（ステップＳ３９）。
【０１１５】
その後、撮影画像６３に触れたままの指などを、第２表示部１２へ移動させる第２の操作が行われたか否かを判定する（ステップＳ４０）。
【０１１６】
ここで、第２の操作が行われていないと判定された場合には、第１表示部１１から指などを離すことにより第１の操作が解除されたか否かを判定する（ステップＳ４１）。
【０１１７】
ここで、第１の操作の解除が行われていない場合には、ステップＳ４０へ戻って、第２の操作が行われるのを待機する。
【０１１８】
また、ステップＳ４１において、第１の操作が解除されたと判定された場合には、一時用記憶媒体３１内に記憶されている撮影画像６３を消去する（ステップＳ４２）。なお、ここでは一時用記憶媒体３１内に記憶されている撮影画像６３を消去しているが、必ずしも消去する必要はなく、次回の撮影画像６３を上書きするようにしても構わない。
【０１１９】
このステップＳ４２が終了するか、またはステップＳ３６において第１の操作が行われていないと判定された場合には、ステップＳ３５へ戻って、上述したような処理を繰り返して行う。
【０１２０】
一方、ステップＳ４０において、第２の操作が行われたと判定された場合には、撮影画像６３を第１表示部１１から第２表示部１２へ移動する表示を行い（ステップＳ４３）、第１表示部１１へのモニタ画像６１の表示を再開する（ステップＳ４４）。
【０１２１】
そして、撮影画像６３を一時用記憶媒体３１から読み出して、保存用記録媒体３２へ保存するとともに（ステップＳ４５）、保存した画像を第２表示部１２に最新の記録画像６２ａとして表示する（ステップＳ４６）。
【０１２２】
このステップＳ４６が終了したら、ステップＳ３１へ戻って電源ボタン１５の状態をチェックする。
【０１２３】
こうして、ステップＳ３１において、電源ボタン１５がオフになっていると判定された場合には、この処理を終了する。
【０１２４】
次に、図１２は、表示ユニットの他の構成例を示すブロック図である。
【０１２５】
図９に示した表示ユニット２５は、第１表示部１１と第２表示部１２とが独立して設けられていて、同様に、第１表示制御部２１と第２表示制御部２２、第１操作入力部２３Ａと第２操作入力部２３Ｂ、第１操作検出部２４Ａと第２操作検出部２４Ｂ、がそれぞれ独立して設けられていた。
【０１２６】
これに対して、この図１２に示す表示ユニット２５Ａは、中央に境界線等を表示させて１つの表示部４１を第１表示領域４１ａと第２表示領域４１ｂとに分けて使用することで、上述した第１表示部１１と第２表示部１２として各機能させるようにしたものとなっている。
【０１２７】
また、表示部４１が１つであることに対応して、表示制御部４２も１つだけ設けられており、上述した第１表示制御部２１および第２表示制御部２２の両方の機能を兼ね備えたものとなっている。
【０１２８】
さらに、表示部４１が１つであることに対応して、操作入力部４３も表示部４１の全表示面をカバーするものが１つだけ設けられている。
【０１２９】
そして、操作入力部４３が１つであることに対応して、操作検出部４４も１つだけ設けられており、上述した第１操作検出部２４Ａおよび第２操作検出部２４Ｂの両方の機能を兼ね備えたものとなっている。
【０１３０】
なお、これら表示制御部４２と操作検出部４４とは、ＣＰＵ２６へそれぞれ接続されている。
【０１３１】
この図１２に示すような構成によっても、図９に示したような表示ユニット２５と同様の作用および効果を奏することができると共に、構成をより簡単にすることが可能となる。
【０１３２】
このような実施形態２によれば、上述した実施形態１とほぼ同様の効果を奏するとともに、画像を撮影する操作を、モニタ画像を記録画像側へ移動させるという自然な操作で行うことが可能となる。そして、画像の撮影が行われたか否かを、第２表示部を見ることにより、容易に確認することができる。
【０１３３】
また、第１表示部１１（より正確には第１操作入力部２３Ａ）に触れたタイミングで撮影が行われるために、手ブレが比較的発生し難いという利点がある。
【０１３４】
さらに、撮影した画像を保存用に記録するか否かを選択することができるために、一旦撮影した後に、改めて撮影画像を見直して不要だと考えた場合に、保存用記録媒体３２に記録することなく、撮影画像を消去することができる。保存用記録媒体３２は上述したようにフラッシュメモリ等で構成されており、ＤＲＡＭ等で構成される一時用記憶媒体３１に比して、記録にはより多くの電力を消費するために、このような構成を採用することにより、消費電力の無駄な消耗を軽減することが可能となる。
【０１３５】
なお、上述では、表示部への操作を指により行う例について説明しているが、ペンなどを用いて操作するようにしてももちろん構わない。
【０１３６】
また、上述では、カメラの具体的な例として、デジタルカメラを例に挙げているが、これに限らず、カメラ機能を備えた携帯電話や、カメラ機能を備えた携帯型ゲーム機などの各種の機器に適用することももちろん可能である。
【０１３７】
さらに、カメラ機能を備えた機器としては、片手の掌で把持できる程度のモバイル機器に限るものではない。例えば、タッチパネルとカメラ機能とを備えるパーソナルコンピュータにおいて、上述したような機能を実現させるプログラムを実行し、パソコン画面上で上述したような操作を行って撮影しても良い。
【０１３８】
加えて、カメラ機能も機器に直接設けられているに限るものではない。上述したパーソナルコンピュータの例では、カメラ機能がパーソナルコンピュータに直接設けられている必要はなく、例えばネットワークなどの回線を介して接続されているカメラであっても構わない。
【０１３９】
そして、上述では、処理全体の一部をＣＰＵ２６によりソフトウェア的に処理し、処理全体の他の一部をハードウェア的に処理する例について説明したが、もちろんこれに限るものではなく、処理の全部をソフトウェア処理またはハードウェア処理により行うようにしても構わない。
【０１４０】
加えて、上述したような制御処理は、上述したような機能を実現するためのソフトウェアである処理プログラムをＣＰＵが実行し、各部を動作させることにより実現されている。従って、このような処理プログラム自体が上記実施形態の上述したような機能を実現していることになるために、この処理プログラム自体が本発明を構成している。
【０１４１】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【産業上の利用可能性】
【０１４２】
本発明は、複数の表示部を備えるカメラと、このカメラの制御方法、プログラム、記録媒体に好適に利用することができる。
【図面の簡単な説明】
【０１４３】
【図１】本発明の実施形態１におけるカメラの外観を示す（Ａ）背面図（Ｂ）右側面図（Ｃ）正面図（Ｄ）平面図。
【図２】上記実施形態１におけるカメラの外観を示す斜視図。
【図３】上記実施形態１におけるカメラの主として電気的な構成を示すブロック図。
【図４】上記実施形態１のカメラにおけるシャッタの大きさや位置を変更するときの様子を示す図。
【図５】上記実施形態１のカメラにおいてズームアイコンを操作するときの様子を示す図。
【図６】上記実施形態１において、撮影モードにおける第２表示部の他の表示例を示す図。
【図７】上記実施形態１におけるカメラの動作を示すフローチャート。
【図８】図７のステップＳ１３におけるタッチ操作処理を示すフローチャート。
【図９】本発明の実施形態２におけるカメラの主として電気的な構成を示すブロック図。
【図１０】上記実施形態２において、画像を撮影するときのカメラの様子を示す図。
【図１１】上記実施形態２におけるカメラの動作を示すフローチャート。
【図１２】上記実施形態２における表示ユニットの他の構成例を示すブロック図。
【符号の説明】
【０１４４】
１…カメラ
１１…第１表示部
１２…第２表示部
１４…レンズ
１５…電源ボタン
１６…ホールドボタン
１７…メニューボタン
１８…モードボタン
２１…第１表示制御部
２２…第２表示制御部
２３…操作入力部
２３Ａ…第１操作入力部
２３Ｂ…第２操作入力部
２４…操作検出部
２４Ａ…第１操作検出部
２４Ｂ…第２操作検出部
２５，２５Ａ…表示ユニット
２６…ＣＰＵ（制御部）
２６ａ…画像管理部
２９…操作部
３０…ＲＯＭ
３１…一時用記憶媒体
３２…保存用記録媒体
３３…画像処理部
３５…撮像部
３６…撮像素子
３７…撮像処理部
４１…表示部
４１ａ…第１表示領域
４１ｂ…第２表示領域
４２…表示制御部
４３…操作入力部
４４…操作検出部
５１…モニタ画像
５２…ターゲットマーク
５３…シャッタ枠
５３Ａ…シャッタ枠（フォーカス操作領域を兼ねる）
５３ｂ…指標
５３ｃ…無限位置
５３ｄ…最至近位置
５４…シャッタアイコン
５５…ズームアイコン
６１…モニタ画像
６２…記録画像
６２ａ…最新の記録画像
６３…撮影画像
【図１】
0004590362.tif 000002
【図２】
0004590362.tif 000003
【図３】
0004590362.tif 000004
【図４】
0004590362.tif 000005
【図５】
0004590362.tif 000006
【図６】
0004590362.tif 000007
【図７】
0004590362.tif 000008
【図８】
0004590362.tif 000009
【図９】
0004590362.tif 000010
【図１０】
0004590362.tif 000011
【図１１】
0004590362.tif 000012
【図１２】
0004590362.tif 000013